(57)【要約】【課題】ユーザの所望する化粧をより確実に実現することができるようにユーザの化粧行為を支援する。【解決手段】化粧を施されたモデルの顔画像と化粧のガイダンスを示すガイダンス情報とが関連付けられた化粧情報に基づいてガイダンス情報をユーザに提示するガイダンス情報提示部２０４と、ユーザの顔画像を取得するカメラ２０５と、モデルの顔画像と前記顔画像取得手段により取得されたユーザの顔画像との所定の差分値を算出し、当該差分値が所定の閾値以下か否かを判定する判定部２０６と、を備え、差分値が所定の閾値以下と判定された場合には、ガイダンス情報提示部２０４は、次の段階のガイダンス情報をユーザに提示し差分値が所定の閾値より大きいと判定された場合には、ガイダンス情報提示部２０４は、修正が必要な箇所についてのガイダンス情報をユーザに提示する。【選択図】図１
2014191813.tif 000002
【特許請求の範囲】
【請求項１】
予め順序付けられた段階毎に化粧を施されたモデルの顔画像と化粧のガイダンスを示すガイダンス情報とが関連付けられた化粧情報を記憶する化粧情報記憶手段と、
前記化粧情報記憶手段により記憶された化粧情報に基づいて、予め順序付けられた段階の順に前記ガイダンス情報をユーザに提示するガイダンス情報提示手段と、
ユーザの顔画像を取得する顔画像取得手段と、
前記段階のそれぞれにおいて、当該段階に関連付けられたモデルの顔画像と当該段階において前記顔画像取得手段により取得されたユーザの顔画像との所定の差分値を算出し、当該差分値が所定の閾値以下か否かを判定する判定手段と、を備え、
前記判定手段により前記差分値が所定の閾値以下と判定された場合には、前記ガイダンス情報提示手段は、次の段階のガイダンス情報をユーザに提示し、前記判定手段により前記差分値が所定の閾値より大きいと判定された場合には、前記ガイダンス情報提示手段は、修正が必要な箇所についてのガイダンス情報をユーザに提示する、
化粧行為支援装置。
【請求項２】
前記化粧情報を複数記憶するデータベースを備えるサーバと、請求項１記載の化粧行為支援装置とを備える化粧行為支援システムであって、
前記化粧行為支援装置は、
ユーザの顔画像、ユーザが所有する化粧品を示す情報、ユーザの位置情報、ユーザの所望する化粧の種類を示す情報、気温情報、湿度情報、ユーザの体調を示す情報、及びユーザの肌の調子を示す情報のうち少なくとも一つを含むユーザ情報を前記サーバに通知するユーザ情報通知手段と、
前記サーバにより前記データベースから抽出された化粧情報を取得し、当該化粧情報を前記化粧情報記憶手段に記憶させる化粧情報取得手段と、を更に備え、
前記サーバは、
前記ユーザ情報に基づいて、前記データベースから化粧情報を抽出する化粧情報抽出手段を備える、
化粧行為支援システム。
【請求項３】
前記サーバが、前記化粧情報抽出手段により抽出された化粧情報を前記ユーザ情報に基づいて補正する補正手段を更に備え、
前記化粧情報取得手段が、前記補正手段により補正された化粧情報を取得する、
請求項２記載の化粧行為支援システム。
【請求項４】
前記サーバが、前記ガイダンス情報提示手段による全ての段階のガイダンス情報の提示が完了した後の化粧の仕上がりについてのユーザの評価を示す評価情報を記憶する評価情報記憶手段を更に備え、
前記補正手段が、次回以降のユーザの化粧行為において、前記評価情報に基づいて化粧情報を補正する、
請求項３記載の化粧行為支援システム。
【請求項５】
予め順序付けられた段階毎に化粧を施されたモデルの顔画像と化粧のガイダンスを示すガイダンス情報とが関連付けられた化粧情報を記憶する化粧情報記憶手段と、前記ガイダンス情報を提示するガイダンス情報提示手段と、ユーザの顔画像を取得する顔画像取得手段とを備える化粧行為支援装置により実行される化粧行為支援方法であって、
前記ガイダンス情報提示手段によって、前記化粧情報記憶手段により記憶された化粧情報に基づいて、予め順序付けられた段階の順に前記ガイダンス情報をユーザに提示するガイダンス情報提示ステップと、
前記ガイダンス情報提示ステップにおいて提示されているガイダンス情報に対応する段階に関連付けられたモデルの顔画像と、当該段階において前記顔画像取得手段により取得されたユーザの顔画像との所定の差分値を算出し、当該差分値が所定の閾値以下か否かを判定する判定ステップと、を含み、
前記判定ステップにおいて前記差分値が所定の閾値以下と判定された場合には、前記ガイダンス情報提示手段に、次の段階のガイダンス情報をユーザに提示させ、前記判定ステップにおいて前記差分値が所定の閾値より大きいと判定された場合には、前記ガイダンス情報提示手段に、修正が必要な箇所についてのガイダンス情報をユーザに提示させる、
化粧行為支援方法。
【発明の詳細な説明】
【技術分野】
【０００１】
本発明は、ユーザの化粧行為を支援する化粧行為支援装置、化粧行為支援システム及び化粧行為支援方法に関する。
【背景技術】
【０００２】
従来、化粧方法のガイダンスを提供する方法として、下記特許文献１に示される方法が知られている。この方法は、顧客により選択された化粧品および化粧方法の類型であるプロセスに関するデータに従い、顧客の顔の静止画データに色彩の更新処理を順次施し、その結果を時系列に配置することにより動画データを作成し、当該動画データを用いて作成したガイダンスページのデータを顧客端末に提供するものである。
【先行技術文献】
【特許文献】
【０００３】
【特許文献１】特開２００５−４４２８３号公報
【発明の概要】
【発明が解決しようとする課題】
【０００４】
しかしながら、上記方法では、ユーザが実際に化粧行為を行う際において、ユーザは、化粧行為に含まれる各ステップのガイダンスのうちから参照したいステップのガイダンスを選択するといった自発的な端末操作を行わなければならず、ユーザにとって手間がかかる。また、上記方法は、ユーザにガイダンスを提供するのみで、ユーザがガイダンスに従って適切に化粧行為を行えているか否かの判断をしていない。このため、ユーザが提供されたガイダンスに従って化粧を行ったとしても、ユーザの化粧技術の未熟さ等により、ユーザの所望するクオリティの化粧に仕上がらないおそれがある。
【０００５】
本発明は、上記課題に鑑みてなされたものであり、ユーザの所望する化粧をより確実に実現することができるようにユーザの化粧行為を支援することができる化粧行為支援装置、化粧行為支援システム及び化粧行為支援方法を提供することを目的とする。
【課題を解決するための手段】
【０００６】
本発明に係る化粧行為支援装置は、予め順序付けられた段階毎に化粧を施されたモデルの顔画像と化粧のガイダンスを示すガイダンス情報とが関連付けられた化粧情報を記憶する化粧情報記憶手段と、化粧情報記憶手段により記憶された化粧情報に基づいて、予め順序付けられた段階の順にガイダンス情報をユーザに提示するガイダンス情報提示手段と、ユーザの顔画像を取得する顔画像取得手段と、上記段階のそれぞれにおいて、当該段階に関連付けられたモデルの顔画像と当該段階において顔画像取得手段により取得されたユーザの顔画像との所定の差分値を算出し、当該差分値が所定の閾値以下か否かを判定する判定手段と、を備え、判定手段により差分値が所定の閾値以下と判定された場合には、ガイダンス情報提示手段は、次の段階のガイダンス情報をユーザに提示し、判定手段により差分値が所定の閾値より大きいと判定された場合には、ガイダンス情報提示手段は、修正が必要な箇所についてのガイダンス情報をユーザに提示する。
【０００７】
本発明に係る化粧行為支援方法は、予め順序付けられた段階毎に化粧を施されたモデルの顔画像と化粧のガイダンスを示すガイダンス情報とが関連付けられた化粧情報を記憶する化粧情報記憶手段と、ガイダンス情報を提示するガイダンス情報提示手段と、ユーザの顔画像を取得する顔画像取得手段とを備える化粧行為支援装置により実行される化粧行為支援方法であって、ガイダンス情報提示手段によって、化粧情報記憶手段により記憶された化粧情報に基づいて、予め順序付けられた段階の順にガイダンス情報をユーザに提示するガイダンス情報提示ステップと、ガイダンス情報提示ステップにおいて提示されているガイダンス情報に対応する段階に関連付けられたモデルの顔画像と、当該段階において顔画像取得手段により取得されたユーザの顔画像との所定の差分値を算出し、当該差分値が所定の閾値以下か否かを判定する判定ステップと、を含み、判定ステップにおいて差分値が所定の閾値以下と判定された場合には、ガイダンス情報提示手段に、次の段階のガイダンス情報をユーザに提示させ、判定ステップにおいて差分値が所定の閾値より大きいと判定された場合には、ガイダンス情報提示手段に、修正が必要な箇所についてのガイダンス情報をユーザに提示させる。
【０００８】
本発明に係る化粧行為支援装置又は化粧行為支援方法では、化粧行為の各段階におけるガイダンスが、ガイダンス情報提示手段によってユーザに提示される。また、化粧行為の各段階において、ユーザの顔画像がモデルの顔画像に一定以上近づいた（差分値が閾値以下）と判定手段によって判定されるまで、次の段階のガイダンスがユーザに提示されない。したがって、ユーザは、ガイダンス情報提示手段によって提示されるガイダンスに従って段階的かつ着実にモデルに近づいていくように化粧を行うことができ、ユーザの所望する化粧が実現される。すなわち、本発明に係る化粧行為支援装置又は化粧行為支援方法によれば、ユーザの所望する化粧をより確実に実現することができるようにユーザの化粧行為を支援することができる。
【０００９】
本発明に係る化粧行為支援システムは、化粧情報を複数記憶するデータベースを備えるサーバと、上記化粧行為支援装置とを備える化粧行為支援システムであって、化粧行為支援装置は、ユーザの顔画像、ユーザが所有する化粧品を示す情報、ユーザの位置情報、ユーザの所望する化粧の種類を示す情報、気温情報、湿度情報、ユーザの体調を示す情報、及びユーザの肌の調子を示す情報のうち少なくとも一つを含むユーザ情報をサーバに通知するユーザ情報通知手段と、サーバによりデータベースから抽出された化粧情報を取得し、当該化粧情報を化粧情報記憶手段に記憶させる化粧情報取得手段と、を更に備え、サーバは、ユーザ情報に基づいて、データベースから化粧情報を抽出する化粧情報抽出手段を備える。
【００１０】
この化粧行為支援システムによれば、化粧情報抽出手段によって、化粧情報を複数記憶するデータベースの中から、例えばユーザの顔の特徴に合った化粧情報やユーザが所有する化粧品により実施可能な化粧情報等が、ユーザ情報に基づいて抽出される。そして、このようにして抽出された化粧情報が、化粧情報取得手段によって化粧情報記憶手段に記憶される。これにより、ユーザには、より適切な化粧情報のガイダンスが提示されるため、ユーザの化粧の仕上がりに対する満足度を高めることが期待できる。
【００１１】
上記化粧行為支援システムでは、サーバが、化粧情報抽出手段により抽出された化粧情報をユーザ情報に基づいて補正する補正手段を更に備え、化粧情報取得手段が、補正手段により補正された化粧情報を取得してもよい。
【００１２】
この化粧行為支援システムによれば、補正手段によって、化粧情報に対して、ユーザ情報に合わせた補正処理が行われる。例えばユーザの体調（肌の調子を含む）によって、適切な化粧の種類、色、量等は異なり得る。そこで、補正手段が、例えば、ユーザの体調毎に適切な化粧の種類、色、量等の補正量等を示す補正パターンを予め保持しておき、当該補正パターンに基づいて化粧情報を補正することにより、より適切な化粧情報が得られる。したがって、ユーザには、補正後のより適切な化粧情報に基づいたガイダンスが提供されることとなり、ユーザの化粧の仕上がりに対する満足度をさらに高めることが期待できる。
【００１３】
上記化粧行為支援システムでは、サーバが、ガイダンス情報提示手段による全ての段階のガイダンス情報の提示が完了した後の化粧の仕上がりについてのユーザの評価を示す評価情報を記憶する評価情報記憶手段を更に備え、補正手段が、次回以降のユーザの化粧行為において、評価情報に基づいて化粧情報を補正してもよい。
【００１４】
この化粧行為支援システムによれば、化粧の仕上がりについての評価情報に基づいて次回以降の化粧情報をより適切に補正することができる。例えば、評価情報に示されるユーザの評価が、「チークの仕上がりが薄い」であった場合には、評価対象となった化粧行為と同一条件（化粧情報及びユーザ情報が同一）となる次回以降のユーザの化粧行為において、チークの仕上がりを濃くするように補正パターンに示される補正量を設定すること等が可能となる。
【発明の効果】
【００１５】
本発明によれば、ユーザの所望する化粧をより確実に実現することができるようにユーザの化粧行為を支援することができる。
【図面の簡単な説明】
【００１６】
【図１】本発明の一実施形態に係る化粧行為支援装置及び化粧行為支援システムの全体構成を示すブロック図である。
【図２】化粧行為支援装置のハードウェア構成を示すブロック図である。
【図３】化粧情報を構成する情報要素を示す図である。
【図４】化粧情報に含まれるベースの情報、ファンデーションの情報、及びチークの情報の例を示す図である。
【図５】化粧行為支援システムにおける一連の処理の流れを示すシーケンス図である。
【図６】図５におけるベースのガイダンス処理、ファンデーションのガイダンス処理、及びチークのガイダンス処理に共通する処理を示すフロー図である。
【発明を実施するための形態】
【００１７】
以下、図面を参照しながら、本発明に係る実施形態を説明する。可能な場合には、同一の部分には同一の符号を付して、重複する説明を省略する。
【００１８】
図１は、本発明の一実施形態に係る化粧行為支援装置及び化粧行為支援システムの全体構成を示すブロック図である。図１に示すように、本実施形態に係る化粧行為支援システム１は、化粧情報提供サーバ（サーバ）１０と化粧行為支援装置２０とを備えている。本実施形態に係る化粧行為支援システム１及び化粧行為支援装置２０は、化粧行為支援装置２０のユーザの化粧行為を支援するためのシステム及び装置である。化粧情報提供サーバ１０と化粧行為支援装置２０とは、例えばインターネット等の通信ネットワークにより相互に通信可能に接続されている。
【００１９】
化粧情報提供サーバ１０は、ユーザの化粧行為を支援するための化粧情報を管理し、一以上の化粧行為支援装置２０の各々に対して化粧情報を配信するサーバ装置である。化粧情報提供サーバ１０は、化粧情報データベース１０１、化粧情報抽出部１０２、ユーザ情報蓄積部１０３、補正部（補正手段）１０４、及び評価情報記憶部（評価情報記憶手段）１０５を備えている。
【００２０】
化粧行為支援装置２０は、例えば、スマートフォン等の携帯電話機やタブレット端末など、ユーザにより携帯される携帯端末装置等である。ただし、化粧行為支援装置２０は、これらに限定されるものではなく、ノートＰＣや据置型のデスクトップＰＣ等であってもよい。本実施形態では、化粧行為支援装置２０は、タッチパネルを有するスマートフォンであるものとする。化粧行為支援装置２０は、ユーザ情報通知部（ユーザ情報通知手段）２０１、化粧情報取得部（化粧情報取得手段）２０２、化粧情報記憶部（化粧情報記憶手段）２０３、ガイダンス情報提示部（ガイダンス情報提示手段）２０４、カメラ（顔画像取得手段）２０５、判定部（判定手段）２０６、マイク２０７、評価情報入力部２０８、各種センサ２０９、ＧＰＳ２１０、及びスケジューラ２１１を備えている。
【００２１】
図２は、化粧行為支援装置２０のハードウェア構成図である。化粧行為支援装置２０の各機能要素は、ＣＰＵ２０Ａ又は主記憶部２０Ｂに所定のソフトウェアを読み込ませ、ＣＰＵ２０Ａの制御の下で通信制御部２０Ｄや入力装置２０Ｅ、出力装置２０Ｆなどを動作させ、主記憶部２０Ｂ又は補助記憶部２０Ｃにおけるデータの読み出し及び書き込みを行うことで実現される。処理に必要なデータやデータベースは主記憶部２０Ｂ又は補助記憶部２０Ｃ内に格納される。本実施形態では、情報を表示する画面を有するとともにユーザのタッチ操作等の入力を受け付けるタッチパネルが、入力装置２０Ｅ及び出力装置２０Ｆに相当する。化粧情報提供サーバ１０は、具体的な部品が異なるだけで、上述した化粧行為支援装置２０と同様のハードウェア構成を備えている。よって、化粧情報提供サーバ１０のハードウェア構成の図示は省略する。
【００２２】
まず、本実施形態における化粧情報について説明する。化粧情報は、化粧情報を複数記憶するデータベースである化粧情報データベース１０１に記憶されている。図３は、化粧情報を構成する情報要素を示す図である。図４は、化粧情報に含まれるベースの情報、ファンデーションの情報、及びチークの情報の例を示す図である。図３に示すように、化粧情報には、化粧行為におけるベース、ファンデーション、チークの各ステップ（化粧ステップ）の情報、カメラ制御情報、及び時間情報が含まれている。また、図４に示すように、化粧ステップの情報には、化粧ステップにおける化粧対象部位（段階）毎に、化粧を施されたモデルの顔画像と化粧のガイダンスを示すガイダンス情報とが関連付けて記憶されている。化粧ステップ間の化粧順序及び同一化粧ステップにおける部位間の化粧順序は、予め順序付けられて記憶されている。
【００２３】
モデルの顔画像は、あるモデルの顔に対して各化粧ステップの各部位に化粧を施した後の状態の顔画像である。モデルの顔画像は、後述する判定部２０６によってユーザの顔画像との比較のために用いられる。モデルの顔画像は、図４の「ベース・頬」の画像のように顔全体を表す画像であってもよいし、ユーザの顔画像の各部位との比較に適するように、図４の「ベース・鼻」及び「ベース・目元」の画像のように対応する部位を拡大した画像であってもよい。なお、化粧情報に含まれるモデルの顔画像は、実際の人の顔の画像である必要はなく、例えば周知のＣＧ技術等により仮想的に生成された画像であってもよいし、周知の画像合成技術等により合成されたユーザ本人の顔画像に化粧を施した画像であってもよい。
【００２４】
ガイダンス情報は、使用する化粧品、化粧の色、種類、塗り方等、ユーザの化粧行為に対するアドバイスを示す情報である。ガイダンス情報は、例えば図４に示すように「ホワイト０１番を顔に塗りましょう。」といったアドバイスを示す情報であり、例えばテキストや音声等である。ガイダンス情報は、テキストや音声等以外に、静止画や動画等を含むものであってもよい。例えば上記例において、ガイダンス情報は、モデルとなる女性が実際にホワイト０１番を顔に塗る様子を示す静止画及び動画等を含むものであってもよい。
【００２５】
カメラ制御情報は、カメラ２０５が判定部２０６によるモデルの顔画像との比較に適したユーザの顔画像を取得するための、撮像部位及び撮像の大きさ等を示す情報である。カメラ制御情報は、各化粧ステップにおける部位毎に予め設定されている。例えば、化粧ステップが「ベース」、部位が「鼻」に対応するカメラ情報には、撮像部位として「鼻」を示す情報が記憶されるとともに、モデルの顔画像との比較に必要な撮像の大きさを示す情報が記憶されている。カメラ制御情報は、例えば、カメラ２０５の動作を制御するカメラ制御部（不図示）に読み込まれ、カメラ制御部によってカメラ情報に基づく処理がされる。カメラ制御部は、例えば、カメラ制御情報に基づいて、可能な範囲でカメラ２０５のレンズ位置や倍率等を自動的に制御し、ユーザ操作が必要な範囲については、ユーザに対してレンズ位置や倍率調整を指示（例えばタッチパネル上に「鼻部分を拡大して撮影して下さい」等の指示内容を表示）する。
【００２６】
時間情報は、次の化粧ステップ又は次の部位のガイダンスに進む際に必要となる待ち時間を示す情報である。待ち時間とは、例えば、次の化粧ステップに進む際に、ユーザが次の道具を準備するために必要な時間や化粧が肌になじむために必要な時間等である。時間情報は、各化粧ステップの部位毎に予め設定されている。
【００２７】
続いて、化粧情報提供サーバ１０及び化粧行為支援装置２０の各機能要素について、本実施形態に係る化粧行為支援システム１の処理の流れに沿って順に説明する。
【００２８】
ユーザ情報通知部２０１は、化粧情報提供サーバ１０に、ユーザの顔画像、ユーザが所有する化粧品を示す情報、ユーザの位置情報、ユーザの所望する化粧の種類を示す情報、気温情報、湿度情報、ユーザの体調を示す情報、及びユーザの肌の調子を示す情報のうち少なくとも一つを含むユーザ情報を通知するユーザ情報通知手段である。
【００２９】
例えば、化粧行為支援装置２０に予めインストールされた化粧行為支援用の専用アプリケーション（不図示）が起動して、ユーザ情報を入力するためのユーザ情報入力画面（例えばプルダウンメニュー等）がタッチパネル上に表示される。ユーザの顔画像、ユーザが所有する化粧品を示す情報、ユーザの所望する化粧の種類を示す情報、ユーザの体調を示す情報、及びユーザの肌の調子を示す情報は、このようなユーザ情報入力画面に対するユーザ操作により登録（入力）される。その後、ユーザ情報通知部２０１は、登録されたユーザ情報を化粧情報提供サーバ１０に送信する。
【００３０】
ここで、ユーザの顔画像は、例えばカメラ２０５等により予め取得され、補助記憶部２０Ｃ等に記憶された画像等である。ユーザの肌の調子を示す情報は、例えば化粧行為支援装置２０に設けられた肌センサ（各種センサ２０９）により測定されたものであってもよい。
【００３１】
ユーザの位置情報は、例えば緯度及び経度を示す情報であり、例えば基地局データ（基地局によって測位された化粧行為支援装置２０の位置情報）やＧＰＳ２１０により取得された化粧行為支援装置２０の位置情報等である。また、ユーザの位置情報は、例えばスケジュール機能を有するスケジューラ２１１に登録されたユーザの目的地を示す情報等から取得されてもよい。気温情報及び湿度情報は、例えば温度センサ、湿度センサ等の各種センサ２０９により測定された気温及び湿度を示す情報である。ユーザの位置情報、気温情報、及び湿度情報は、化粧行為支援装置２０内に予め記憶及び保持されており、例えば上述の専用アプリケーション起動後に、ユーザ情報通知部２０１により取得されて化粧情報提供サーバ１０に送信される。
【００３２】
ユーザ情報通知部２０１により送信されたユーザ情報は、化粧情報抽出部１０２、ユーザ情報蓄積部１０３、及び補正部１０４に受け渡される。
【００３３】
化粧情報抽出部１０２は、ユーザ情報通知部２０１により通知されたユーザ情報に基づいて、化粧情報データベース１０１に記憶された化粧情報のうちからユーザに推奨する化粧情報を抽出する。
【００３４】
例えば、化粧情報抽出部１０２は、ユーザの顔画像の特徴点（画像において例えば鼻部分等の特定の特徴を示す部位を示す部分）を周知の画像処理技術等により抽出し、当該特徴点と似た特徴点を持つモデルの顔画像、即ちユーザの顔と各部位の形状等が近似するモデルの顔画像が記憶された化粧情報を抽出する。
【００３５】
また、化粧情報抽出部１０２は、例えば、化粧情報毎に、必要な化粧品の情報、化粧の種類、適切な気温範囲、適切な湿度範囲、適切なユーザの体調及びユーザの肌調子等を予め関連付けて記憶しておく。これにより、化粧情報抽出部１０２は、ユーザが所有する化粧品（色、品番、コンシーラ等の道具等）を示す情報に基づいて、ユーザが所有する化粧品の範囲で実施可能な化粧情報を抽出する。また、ユーザの所望する化粧の種類に該当する化粧情報を抽出する。また、気温情報、湿度情報、ユーザの体調を示す情報及びユーザの肌調子を示す情報に基づいて適切な化粧情報を抽出する。
【００３６】
また、化粧情報抽出部１０２は、例えば東京や名古屋等の土地毎に流行している化粧の種類を示す情報を、予め土地毎に関連付けて記憶しておく。これにより、化粧情報抽出部１０２は、例えば外部サーバ（不図示）が提供する地図情報等を参照することにより、ユーザの位置情報が指し示す土地を特定し、当該土地に適した化粧の種類を抽出し、当該化粧の種類に関連付けられた化粧情報を抽出する。
【００３７】
また、化粧情報抽出部１０２は、例えば土地毎の天気予報を示す情報を外部サーバ（不図示）等から取得することにより、ユーザの位置情報に対応する土地の天気を取得し、当該天気に応じて適切な化粧情報を抽出してもよい。例えば、化粧情報抽出部１０２は、予め化粧情報毎に、雨の日に崩れにくい化粧であるか否かを示す情報等を関連付けて記憶することにより、ユーザの位置情報に対応する土地の天気が「雨」の場合には、雨の日に崩れにくい化粧に関する化粧情報を抽出する。
【００３８】
化粧情報抽出部１０２は、以上のようにして抽出した化粧情報のリスト情報を化粧行為支援装置２０に送信する。その後、例えば、当該リスト情報を受信した化粧行為支援装置２０は、タッチパネル上に、推奨情報を選択可能に並べた画面を表示する。例えば、このような画面表示がされたタッチパネルに対して、化粧行為支援装置２０のユーザによるタッチ操作が行われることにより、ユーザの所望する化粧情報が選択される。そして、選択された化粧情報を示す情報が、再び化粧情報抽出部１０２に送信される。化粧情報抽出部１０２は、このようにして取得した、ユーザにより選択された化粧情報を補正部１０４に出力する。
【００３９】
補正部１０４は、化粧情報抽出部１０２により抽出された化粧情報をユーザ情報に基づいて補正する補正手段である。補正部１０４は、ユーザ情報に対応する各種補正パターンを予め記憶している。ここで、補正パターンとは、例えば、元の化粧情報に記憶されているモデルの顔画像の化粧の色、量等の補正量を示す情報、及びガイダンス情報の一部（使用する化粧用品、化粧の量、手順等）の修正を示す情報等を、特徴点（顔の特定の部位に相当する部分）毎に関連付けた情報である。補正部１０４は、元の化粧情報に対して補正パターンを適用することで、補正後の化粧情報を得る。
【００４０】
補正部１０４は、例えば、周知の画像解析技術により、ユーザの顔画像及び抽出された化粧情報に含まれるモデルの顔画像それぞれについて互いに対応する特徴点（例えば、顔の輪郭部分に相当する部分）を抽出し、特徴点同士を比較すること等により、差異が予め定めた基準以上大きい特徴点を抽出する。例えば、モデルが細顔でユーザが丸顔である場合には、輪郭部分が、差異が大きい特徴点として抽出され、補正部１０４は、輪郭を示す特徴点に関連付けて予め記憶している、丸顔を細顔に見せるための補正パターンを化粧情報に適用する。同様に、モデルの目がユーザの目よりも大きい場合には、目部分が、差異が大きい特徴点として抽出され、補正部１０４は、目を示す特徴点に関連付けて予め記憶している、目を大きく見せるための補正パターンを化粧情報に適用する。
【００４１】
また、補正部１０４は、ユーザが所有する化粧品を示す情報、ユーザの位置情報、ユーザの所望する化粧の種類を示す情報、気温情報、湿度情報、ユーザの体調を示す情報、及びユーザの肌の調子を示す情報についても、それぞれの情報が示す各状態に応じた複数の補正パターンを予め記憶しておくことで、適切な補正パターンを化粧情報に適用する。例えば、補正部１０４は、ユーザの所望する化粧の種類が「薄め」である場合には、これに対応して予め記憶している「薄めにする」という補正パターンを化粧情報に適用したり、ユーザの位置情報に基づいて特定される土地毎に予め記憶している補正パターン（例えば「化粧の色を濃くする」という補正パターン等）を化粧情報に適用したりといった補正処理を行う。
【００４２】
また、補正部１０４は、評価情報記憶部１０５に記憶された過去の化粧行為に対するユーザの評価情報に基づいて、化粧情報の補正をしてもよい。この処理の詳細については後述する。
【００４３】
化粧情報取得部２０２は、化粧情報抽出部１０２により化粧情報データベース１０１から抽出され、補正部１０４により補正された化粧情報を取得する化粧情報取得手段である。化粧情報取得部２０２は、取得した化粧情報を、化粧情報を記憶する化粧情報記憶手段である化粧情報記憶部２０３に記憶させる。
【００４４】
ガイダンス情報提示部２０４は、化粧情報記憶部２０３により記憶された化粧情報に基づいて、予め順序付けられた段階の順にガイダンス情報をユーザに提示するガイダンス情報提示手段である。より具体的には、例えば図４に示される化粧情報の各化粧ステップの場合には、ガイダンス情報提示部２０４は、最初の段階であるベース・頬のガイダンス情報をユーザに提示する。
【００４５】
ガイダンス情報提示部２０４は、例えば、ガイダンス情報により示される「ホワイト０１番を顔に塗りましょう。」というテキストを表示する。また、ガイダンス情報に音声が含まれる場合には、ガイダンス情報提示部２０４は、例えば、化粧行為支援装置２０が備えるスピーカー（不図示）等によりガイダンス情報に含まれる音声を出力する。また、ガイダンス情報に静止画及び動画が含まれる場合には、ガイダンス情報提示部２０４は、ガイダンス情報に含まれる静止画及び動画等をタッチパネル上に表示する。以上のようにして、ガイダンス情報提示部２０４は、ガイダンス情報をユーザに提示する。
【００４６】
カメラ２０５は、ユーザの顔画像を取得する顔画像取得手段である。上述したように、化粧情報に含まれるカメラ制御情報を読み込んだカメラ制御部による制御やユーザ操作等により、カメラ２０５のレンズ位置や倍率が調整され、カメラ２０５は、ユーザの顔の全体又は特定の部位をアップした画像を取得する。カメラ２０５による画像の取得タイミングは、例えばガイダンス情報提示部２０４による各段階のガイダンスが完了した時点に設定される。このような取得タイミングの設定は、例えば、ガイダンス情報提示部２０４が、各段階のガイダンスが完了した時点でカメラ制御部に対してユーザの顔画像の取得を指示することにより実現される。このようにして、カメラ２０５は、各段階のガイダンス完了時点におけるユーザの顔画像を取得する。
【００４７】
判定部２０６は、各段階において、化粧情報において当該段階に関連付けられたモデルの顔画像と、当該段階においてカメラ２０５により取得されたユーザの顔画像との所定の差分値を算出し、当該差分値が所定の閾値以下か否かを判定する判定手段である。判定部２０６は、例えば、ガイダンス情報提示部２０４による各段階のガイダンスが完了した時点で上記判定を開始する。それ以外にも、例えば、判定部２０６は、ユーザの所定の音声（例えば「失敗」等）がマイク２０７から入力されたことを検知した時点で上記判定を開始するようにしてもよい。
【００４８】
判定部２０６は、まず、当該段階に関連付けられたモデルの顔画像における当該段階の部位（例えば鼻）に対応する特徴点を周知の画像処理技術等により抽出する。ここで、モデルの顔画像の特徴点は、予め化粧情報に記憶されていてもよく、その場合には、判定部２０６は、化粧情報に記憶されている特徴点を取得してもよい。
【００４９】
続いて、判定部２０６は、当該段階のガイダンス完了時点においてカメラ２０５により取得されたユーザの顔画像における当該段階の部位（例えば鼻）に対応する特徴点を抽出する。
【００５０】
続いて、判定部２０６は、モデルの顔画像とユーザの顔画像とからそれぞれ抽出した特徴点同士について、例えば所定の領域単位の画素値等により示される所定の特徴量の差分（所定の差分値）を算出する。その後、判定部２０６は、差分値が所定の閾値以下と判定した場合には、ガイダンス情報提示部２０４に対して、次の段階のガイダンス情報をユーザに提示することを指示する。一方、判定部２０６は、差分値が所定の閾値より大きいと判定した場合には、ガイダンス情報提示部２０４に対して、修正が必要な箇所についてのガイダンス情報をユーザに提示することを指示する。ここで、修正が必要な箇所についてのガイダンス情報の提示として最も単純な方法の一つは、例えば、当該段階のガイダンス情報を提示し直す（繰り返す）ことである。
【００５１】
なお、判定部２０６は、判定にあたって、カメラ制御部に対してフォトライト（不図示）の点灯を指示する等して、明度を変えたユーザの顔画像をカメラ２０５に複数取得させ、これらのユーザの顔画像それぞれに対して判定を行ってもよい。この場合、判定部２０６は、例えば、複数のユーザの顔画像のうち一部でも差分値が所定の閾値より大きいと判定された場合には、塗りムラ等があると判定し、ガイダンス情報提示部２０４に対して、修正が必要な箇所についてのガイダンス情報をユーザに提示することを指示してもよい。
【００５２】
このようにして、ガイダンス情報提示部２０４は、判定部２０６による判定結果に基づいて、必要に応じて修正が必要な箇所についてのガイダンス情報をユーザに提示しつつ、各段階のガイダンス情報を予め順序付けられた順にユーザに提示する。ガイダンス情報提示部２０４が全ての段階のガイダンス情報の提示を完了し、判定部２０６がユーザの顔画像とモデルの顔画像との差分値が所定の閾値以下と判定した時点で、化粧情報に基づくユーザの化粧行為は完了する。
【００５３】
評価情報入力部２０８は、ガイダンス情報提示部２０４による全ての段階のガイダンス情報の提示が完了した後に、化粧の仕上がりについてのユーザの評価を入力する評価情報入力手段である。評価情報入力部２０８は、例えば、化粧の仕上がりについて予め定めた評価項目（例えば、目、鼻、口等の各部位毎の仕上がりに対する満足度、化粧の色、量等に対する満足度等）に対する評価をユーザに入力させるための評価画面をタッチパネル上に表示させる。その後、評価情報入力部２０８は、ユーザが評価画面に入力した評価結果を示す情報を、ガイダンス情報提示部２０４により用いられた化粧情報（適用された補正パターンの情報を含む）と、ユーザ情報通知部２０１により化粧情報提供サーバ１０に通知されたユーザ情報とに関連付けた評価情報を生成し、当該評価情報を化粧情報提供サーバ１０の評価情報記憶部１０５に送信する。
【００５４】
評価情報記憶部１０５は、評価情報入力部２０８から受信した評価情報を記憶する評価情報記憶手段である。評価情報記憶部１０５に記憶された評価情報は、補正部１０４による補正処理に用いられる。評価情報には、化粧情報データベース１０１に記憶された化粧情報のうちから選択された化粧情報、ユーザ情報、補正内容（適用された補正パターン）、及び補正後の化粧情報に基づいてされた化粧の仕上がりに対するユーザの評価を示す情報が、互いに関連付けられている。例えば、補正部１０４は、評価情報に示されるユーザの評価が、「チークの仕上がりが薄い」であった場合には、評価対象となった化粧行為と同一条件（化粧情報及びユーザ情報が同一）である次回以降のユーザの化粧行為において、チークの仕上がりを濃くするように補正量を設定する。
【００５５】
続いて、図５及び図６を用いて、本実施形態に係る化粧行為支援方法を含む化粧行為支援システム１の一連の処理フローを説明する。
【００５６】
まず、化粧行為支援装置２０で、タッチパネルに対するユーザ操作等により専用アプリケーション（不図示）が起動される（ステップＳ１０１）。続いて、当該専用アプリケーションの機能により、ユーザ情報を入力するためのユーザ情報入力画面（例えばプルダウンメニュー等）がタッチパネル上に表示され、ユーザによってユーザ情報が入力される等して、ユーザ情報が登録される。登録されたユーザ情報は、ユーザ情報通知部２０１により、化粧情報提供サーバ１０に送信される（ステップＳ１０２，Ｓ１０３）。
【００５７】
続いて、化粧情報抽出部１０２によって、化粧情報データベース１０１から推奨される化粧情報が、ユーザ情報に基づいて抽出され（ステップＳ１０４）、抽出された化粧情報のリスト情報が、化粧行為支援装置２０に送信される（ステップＳ１０５）。続いて、上記専用アプリケーションの機能によって、リスト情報を受信した化粧行為支援装置２０のタッチパネル上に、推奨情報を選択可能に並べた画面が表示され、ユーザによるタッチ操作等により、ユーザの所望する化粧情報が選択される（ステップＳ１０６）。選択された化粧情報を示す情報が、再び化粧情報抽出部１０２に送信され（ステップＳ１０７）、化粧情報抽出部１０２は、このようにして取得した、ユーザにより選択された化粧情報を補正部１０４に出力する。
【００５８】
続いて、補正部１０４によって、ユーザにより選択された化粧情報が、ユーザ情報に基づいて補正される（ステップＳ１０８）。補正後の化粧情報は、補正部１０４によって、化粧情報取得部２０２に送信される（ステップＳ１０９，Ｓ１１０，Ｓ１１１）。化粧情報取得部２０２によって取得された化粧情報は、化粧情報記憶部２０３に記憶され、当該化粧情報は、ガイダンス情報提示部２０４に読み込まれ、化粧情報において予め順序付けられた段階の順にガイダンスが実行される（ステップＳ１１２〜Ｓ１１４）。
【００５９】
ステップＳ１１２のガイダンス処理の詳細について、図３の化粧情報の例及び図６を用いて説明する。まず、ガイダンス情報提示部２０４によって、最初の化粧ステップであるベースの情報が読み込まれ、最初の部位（段階）である頬のガイダンス情報がユーザに提示される（ステップＳ２０１、ガイダンス情報提示ステップ）。頬のガイダンス完了時点でカメラ２０５によりユーザの顔画像が取得される（ステップＳ２０２）。続いて、判定部２０６によって、ユーザの顔画像とモデルの顔画像との所定の差分値が算出され（ステップＳ２０３）、当該差分値が所定の閾値以下か否かが判定される（ステップＳ２０４、判定ステップ）。
【００６０】
判定部２０６によって、差分値が所定の閾値より大きいと判定された場合（ステップＳ２０４：ＮＯ）には、ガイダンス情報提示部２０４によって、修正が必要な箇所についてのガイダンス情報がユーザに提示される（例えば、当該段階のガイダンス情報が再度ユーザに提示される）（ステップＳ２０１）。
【００６１】
判定部２０６によって、差分値が所定の閾値以下と判定された場合（ステップＳ２０４：ＹＥＳ）であって未完了の部位のガイダンスがある場合（ステップＳ２０５：ＮＯ）には、ガイダンス情報提示部２０４によって、次の部位（例えば鼻）のガイダンス情報がユーザに提示される（ステップＳ２０６，Ｓ２０１）。一方、判定部２０６によって、差分値が所定の閾値以下と判定された場合（ステップＳ２０４：ＹＥＳ）であって全ての部位のガイダンスが完了している場合（ステップＳ２０５：ＹＥＳ）には、処理を完了する。このようにして、ベースの化粧ステップのガイダンスが完了する（ステップＳ１１２）。
【００６２】
ファンデーションのガイダンス、及びチークのガイダンスについても、上述したステップＳ２０１〜Ｓ２０６に示す処理と同様の処理によって実行される（ステップＳ１１３，Ｓ１１４）。その後、評価情報入力部２０８によって評価情報が入力される（ステップＳ１１５）。評価情報は、評価情報記憶部１０５に送信され（ステップＳ１１６）、評価情報記憶部によって記憶される（Ｓ１１７）。
【００６３】
本実施形態に係る化粧行為支援装置２０によれば、化粧行為の各段階におけるガイダンスが、ガイダンス情報提示部２０４によってユーザに提示される。また、化粧行為の各段階において、ユーザの顔画像がモデルの顔画像に一定以上近づいた（差分値が閾値以下）と判定部２０６によって判定されるまで、次の段階のガイダンスがユーザに提示されない。したがって、ユーザは、ガイダンス情報提示部２０４によって提示されるガイダンスに従って段階的かつ着実にモデルに近づいていくように化粧を行うことができ、ユーザの所望する化粧が実現される。すなわち、ユーザの所望する化粧をより確実に実現することができるようにユーザの化粧行為を支援することができる。
【００６４】
本実施形態に係る化粧行為支援システム１によれば、化粧情報抽出部１０２によって、化粧情報データベース１０１の中から、例えばユーザの顔の特徴に合った化粧情報やユーザが所有する化粧品により実施可能な化粧情報等が、ユーザ情報に基づいて抽出される。したがって、ユーザには、より適切な化粧情報のガイダンスが提示されることとなり、ユーザの化粧の仕上がりに対する満足度を高めることが期待できる。また、補正部１０４によって、化粧情報に対して、ユーザ情報に合わせた補正処理が行われる。したがって、ユーザには、より適切な化粧情報のガイダンスが提示されることとなり、ユーザの化粧の仕上がりに対する満足度をさらに高めることが期待できる。また、補正部１０４は、化粧の仕上がりについての評価情報に基づいて次回以降の化粧情報をより適切に補正することもできる。
【００６５】
続いて、本実施形態のいくつかの変形例について説明する。例えば、本実施形態では、化粧情報の一例として、ベース、ファンデーション、チークの順に順序付けられた化粧情報について説明したが、化粧ステップのバリエーション及び順序付けは、これに限定されない。例えば、アイシャドー、アイライナー、マスカラ等の目元の化粧を行うステップや、リップ（口紅）を塗る化粧ステップ等を含むものであってもよい。
【００６６】
また、化粧情報提供サーバ１０の各機能（化粧情報データベース１０１、化粧情報抽出部（化粧情報抽出手段）１０２、補正部１０４、評価情報記憶部１０５等）が化粧行為支援装置２０内に組み込まれて、化粧行為支援装置が単体で化粧行為支援システムを構成してもよい。
【００６７】
また、ユーザ情報蓄積部１０３に蓄積されたユーザ情報は、例えば以下のように利用され得る。例えば、化粧情報提供サーバ１０は、ユーザ情報蓄積部１０３に蓄積されたユーザが所有する化粧品の情報を参照することにより、ユーザが所有する化粧品の消耗具合を把握することができ、追加購入が必要な化粧品の購入情報の案内をすることができる。購入情報の案内は、例えば上述の専用アプリケーションに、化粧品及び購入数量を入力させる購入用画面を表示させる方法等がある。
【００６８】
また、ユーザが化粧行為支援装置又は化粧行為支援システムを用いて化粧を施した日には、定期的に化粧直しチェックを実施するようにしてもよい。例えば数時間に一度、化粧行為支援装置２０が、ユーザの顔画像を撮影するアラートを出力し、ユーザ操作によりカメラ２０５でユーザの顔画像を取得させる。そして、取得されたユーザの顔画像を、ユーザが化粧する際に用いた化粧情報に記憶されている最終的なモデルの顔画像と比較することにより、化粧直しが必要な箇所（例えば差分値が所定の閾値以上となる箇所）を特定し、ユーザに化粧直しを促すアラートを出力するようにしてもよい。
【００６９】
また、化粧情報提供サーバ１０は、複数の化粧行為支援装置２０のユーザによって選択された化粧情報の統計データを算出することにより、各化粧行為支援装置２０のユーザに対して、人気のある化粧の種類等を示すトレンド情報を発信することも可能である。
【００７０】
また、化粧情報には、化粧を落とす際の化粧落としのガイダンスを示す情報を関連付けて記憶させておき、ガイダンス情報提示部２０４が、化粧時と同様の方法により、化粧落としのガイダンスをユーザに提示するようにしてもよい。
【００７１】
また、化粧行為支援システムのサービス提供者は、当該システムの利用に対して課金することもできる。例えば、化粧行為支援装置側の専用アプリケーションは無料で提供し、化粧情報提供サーバからの化粧情報の提供について１件毎あるいは月額定額で課金する等の方法が考えられる。
【符号の説明】
【００７２】
１…化粧行為支援システム、１０…化粧情報提供サーバ、２０…化粧行為支援装置、１０１…化粧情報データベース、１０２…化粧情報抽出部、１０３…ユーザ情報蓄積部、１０４…補正部、１０５…評価情報記憶部、２０１…ユーザ情報通知部、２０２…化粧情報取得部、２０３…化粧情報記憶部、２０４…ガイダンス情報提示部、２０５…カメラ、２０６…判定部、２０７…マイク、２０８…評価情報入力部、２０９…各種センサ、２１０…ＧＰＳ、２１１…スケジューラ。
【図１】
2014191813.tif 000003
【図２】
2014191813.tif 000004
【図３】
2014191813.tif 000005
【図４】
2014191813.tif 000006
【図５】
2014191813.tif 000007
【図６】
2014191813.tif 000008